(57)【要約】【課題】  光源を点灯させて使用する透過モードにおいて十分な表示輝度を得ることが可能な外部反射方式の液晶表示装置を提供する。【解決手段】  液晶層１と、逆プリズムシート６と、導光板７と、反射シート８と、をこの順に重ね合わせて備えるとともに、導光板７への入射光の光源７４を備える外部反射方式の液晶表示装置１０である。導光板７における反射シート８側の面には溝部７１が形成されている。溝部７１は、光源７４からの入射光を逆プリズムシート６に対して斜め方向に反射させる反射面７１２を構成している。【選択図】    図１
2006138975.tif 000002
【特許請求の範囲】
【請求項１】
外部半透過方式の液晶表示装置用のバックライトにおいて、
逆プリズムシートと、導光板と、反射シートと、をこの順に重ね合わせて備えるとともに、前記導光板に対する入射光の光源を備え、
前記導光板は、前記光源からの入射光を前記逆プリズムシートに対して斜め方向に反射させる反射面を少なくとも構成する溝部が、当該導光板における前記反射シート側の面に形成された、逆プリズム型導光板であることを特徴とするバックライト。
【請求項２】
前記溝部は、その断面が三角形状に形成されていることを特徴とする請求項１に記載のバックライト。
【請求項３】
前記逆プリズム型導光板の前記反射シート側の面において、前記溝部以外の部分は、平坦に形成された平坦部であることを特徴とする請求項１又は２に記載のバックライト。
【請求項４】
前記逆プリズム型導光板に隣設されたライトガイドパイプを更に備え、
前記光源からの光を、前記ライトガイドパイプを介して前記逆プリズム型導光板内に入射させるようにしたことを特徴とする請求項１乃至３の何れか一項に記載のバックライト。
【請求項５】
前記光源からの光を、前記ライトガイドパイプ内に入射させ、該ライトガイドパイプ内で前記逆プリズム型導光板側に反射させてから、該逆プリズム型導光板内に入射させるようにしたことを特徴とする請求項４に記載のバックライト。
【請求項６】
前記ライトガイドパイプから前記逆プリズム型導光板への入射光が略平行光となるように、前記光源から前記ライトガイドパイプへの入射光の入射角度と、前記ライトガイドパイプ内において前記光源からの光を前記逆プリズム型導光板側に反射させる面の角度と、が設定されていることを特徴とする請求項５に記載のバックライト。
【請求項７】
請求項１乃至６の何れか一項に記載のバックライトと、前記バックライトの正面側に配置された液晶層と、を備えることを特徴とする外部半透過方式の液晶表示装置。
【発明の詳細な説明】
【技術分野】
【０００１】
本発明は、表示装置における表示素子の背面側に備えられるバックライト、及び、このバックライトを備える外部半透過方式の液晶表示装置に関する。
【背景技術】
【０００２】
液晶表示装置には、バックライトの光が液晶層を透過する透過型液晶表示装置と、外部から液晶層へ入射させた光を反射させる反射型液晶表示装置と、透過型及び反射型の特徴を併せ持ち、バックライトの光を透過すると共に外部からの入射光を反射する半透過型液晶表示装置がある。
【０００３】
特に携帯電話機やＰＤＡ（Ｐｅｒｓｏｎａｌ  Ｄｉｇｉｔａｌ  Ａｓｓｉｓｔａｎｔ）などのモバイル機器用途では、透過型の画質のきれいさと外光視認性の良さから半透過型液晶表示装置が主流となっている。
【０００４】
更に、半透過型液晶表示装置には、液晶セルの内部で光を反射させる内部半透過方式と、液晶セル外部で光を反射させる外部半透過方式に分けられる。
【０００５】
図２は特許文献１に開示された外部半透過方式の液晶表示装置の層構造を示す模式的な断面図である。
【０００６】
図２に示すように、特許文献１の外部半透過方式の液晶表示装置１００は、液晶セルを有する液晶層１０１と、この液晶層１０１の上側に配設された上側偏光板１０２と、液晶層１０１の下側に配設された下側偏光板１０３と、拡散のり１０４を介して下側偏光板１０３の下側に貼設された反射偏光板１０５と、この反射偏光板１０５の下側に配設された逆プリズムシート１０６と、この逆プリズムシート１０６の下側に配設された導光板１０７と、この導光板１０７の下側に配設された拡散ドットパタン１０８と、この拡散ドットパタン１０８の下側に配設された反射シート１０９と、導光板１０７の側部に配設された光源としてのＬＥＤ１１０と、を備えて構成されている。
【０００７】
なお、反射偏光板１０５は、偏光板と、この偏光板の下側に拡散のりを介して貼設された輝度向上シートと、を備えて構成されている。
【０００８】
また、逆プリズムシート１０６は、下方に向けて突出し、それぞれ断面逆三角形状のプリズムを、下面に多数備えて構成されている。
【０００９】
また、図２に示す構成要素のうち、逆プリズムシート１０６、導光板１０７、拡散ドットパタン１０８、反射シート１０９及びＬＥＤ１１０によりバックライト１１１が構成されている。
【００１０】
図２に示す液晶表示装置１００においては、液晶層１０１の下方に配置された逆プリズムシート１０６により、反射率を向上させている。これにより、光源としてのＬＥＤ１１０を点灯させずに表示を行う際、すなわち反射モードで使用する際における表示画面の輝度向上を図っている。
【００１１】
なお、図２に示す液晶表示装置１００において、光源としてのＬＥＤ１１０を点灯させて表示を行う際、すなわち透過モードで使用する際には、ＬＥＤ１１０の発光により導光板１０７内に入射した光が導光板１０７内で上向きに反射し、該導光板１０７内より上方に出射し、逆プリズムシート１０６などを介して上方に透過する。
【００１２】
また、特許文献２には、図３に示すバックライト３００を備える液晶表示装置が開示されている。
【００１３】
図３に示すように、特許文献２のバックライト３００は、光源を備える光源ユニット３１０と、この光源ユニット３１０から入射される光を正面側に出射させる導光板３２０と、を備えて構成されている。
【００１４】
このうち導光板３２０は、その上面３３０が平面状に形成されている一方で、その下面にはプリズム面３２１が形成されている。このプリズム面３２１は、反射面３２２と透過面３２３とを交互に備えて構成されている。このうち反射面３２２は光源ユニット３１０からの光を正面側に反射させ、透過面３２３は正面側からの光を導光板３２０の下方に配された図示しない反射シート側に透過させる。なお、反射面３２２は上面３３０に対して４０度〜５０度の角度で傾斜し、透過面３２３は上面３３０に対して数度の角度で傾斜している。
【００１５】
また、特許文献１と同様の技術が特許文献３に開示されている。
【００１６】
図４は特許文献３に開示された外部半透過方式の液晶表示装置の層構造を示す模式的な断面図である。
【００１７】
図４に示すように、特許文献３の外部半透過方式の液晶表示装置２００は、液晶セルを有する液晶層２０１と、この液晶層２０１の上側に配設された上側偏光板２０２と、液晶層２０１の下側に配設された下側偏光板２０３と、光散乱層２０４を介して下側偏光板２０３の下側に貼設された反射偏光板２０５と、この反射偏光板２０５の下側に配設された逆プリズムシート２０６と、この逆プリズムシート２０６の下側に配設された導光板２０７と、この導光板２０７の下側に配設された反射板２０９と、導光板２０７の側部に配設された光源２１０と、を備えて構成されている。
【特許文献１】特開２００３−０９８３２５号公報
【特許文献２】特開２００２−２４５８２５号公報
【特許文献３】特開２００４−０５４０３４号公報
【発明の開示】
【発明が解決しようとする課題】
【００１８】
上記のように、特許文献１の液晶表示装置１００によれば、反射モードでの輝度向上は可能である。
【００１９】
しかしながら、特許文献１の場合、透過モードでは、導光板１０７からの出射光が正面方向（図２における上方向）を中心に出射するため、導光板１０７から出射した光の大部分が、逆プリズムシート１０６の下面にて、図２の矢印１１２に従って下向きに反射するため、透過モードで使用する際においては十分な輝度が得にくいという問題がある。
【００２０】
また、特許文献２の液晶表示装置では、透過モードにおいて、図５に示すように、導光板１０７の下面にて反射する光Ｌａ（光源３１０の輝度が２１００Ｃｄの場合に１５００Ｃｄ程度）は有効に使われているが、反射シート３４０にて反射する光Ｌｂ（同６００Ｃｄ程度）が有効に使われていない。
【００２１】
また、特許文献３においては、逆プリズムシート２０６の頂角α（図４参照）の角度範囲について詳細に説明されており、頂角αは６３°〜６８°が好ましいとされている。
【００２２】
しかしながら、特許文献３では、バックライトを構成する導光板２０７の形状の詳細が不明である。また、特許文献３において、図５に示すようにバックライトとして拡散ドット型の導光板２０７を使った場合には逆プリズムシート２０６を透過した外光は導光板２０７に閉じ込められてしまい、反射モードにおいて外光を有効に活用することができない。すなわちバックライトの導光板形状を利用して、反射モードにおける外光の利用効率を向上させようとする思想は、特許文献３には開示されていない。
【００２３】
本発明者が詳細に研究を行ったところ、図４に示すような形状の導光板２０７の場合、側方に配置された光源２１０から導光板２０７内に入射された光は、導光板２０７から逆プリズムシート２０６側に出射されないことが分かった。よって、導光板２０７の形状を詳細に検討する必要がある。
【００２４】
また、特許文献３では、光源２１０を導光板２０７の側部に直付けしているため、光の均一性が悪く、上面視において、図６に示すような光線が見える不具合があることが分かった。よって、導光板に対する光源の実装の仕方も詳細に検討する必要があることが分かった。
【００２５】
本発明は、上記のような問題点を解決するためになされたもので、光源を点灯させて使用する透過モードにおいて十分な表示輝度を得ることが可能であり、好ましくは光の均一性を良好とさせることが可能なバックライト、及び、このバックライトを備える外部半透過方式の液晶表示装置を提供することを目的とする。
【課題を解決するための手段】
【００２６】
上記課題を解決するため、本発明のバックライトは、外部半透過方式の液晶表示装置用のバックライトにおいて、逆プリズムシートと、導光板と、反射シートと、をこの順に重ね合わせて備えるとともに、前記導光板に対する入射光の光源を備え、前記導光板は、前記光源からの入射光を前記逆プリズムシートに対して斜め方向に反射させる反射面を少なくとも構成する溝部が、当該導光板における前記反射シート側の面に形成された、逆プリズム型導光板であることを特徴としている。
【００２７】
本発明のバックライトにおいては、前記溝部は、その断面が三角形状に形成されていることが好ましい。
【００２８】
本発明のバックライトにおいては、前記逆プリズム型導光板の前記反射シート側の面において、前記溝部以外の部分は、平坦に形成された平坦部であることが好ましい。
【００２９】
本発明のバックライトにおいては、前記逆プリズム型導光板に隣設されたライトガイドパイプを更に備え、前記光源からの光を、前記ライトガイドパイプを介して前記逆プリズム型導光板内に入射させるようにしたことが好ましい。
【００３０】
この場合、前記光源からの光を、前記ライトガイドパイプ内に入射させ、該ライトガイドパイプ内で前記逆プリズム型導光板側に反射させてから、該逆プリズム型導光板内に入射させるようにしたことが好ましい。
【００３１】
更にこの場合、前記ライトガイドパイプから前記逆プリズム型導光板への入射光が略平行光となるように、前記光源から前記ライトガイドパイプへの入射光の入射角度と、前記ライトガイドパイプ内において前記光源からの光を前記逆プリズム型導光板側に反射させる面の角度と、が設定されていることが好ましい。
【００３２】
また、本発明の液晶表示装置は、本発明のバックライトと、前記バックライトの正面側に配置された液晶層と、を備えることを特徴とする外部半透過方式の液晶表示装置であることを特徴としている。
【発明の効果】
【００３３】
本発明によれば、バックライトを構成する導光板における反射シート側の面には、溝部が形成され、この溝部により、光源からの入射光を逆プリズムシートに対して斜め方向に反射させる反射面が構成されているので、光源を点灯させて使用する透過モードにおいて導光板（逆プリズム型導光板）内に入射した光を、溝部の反射面にて逆プリズムシート側に向けて反射させることができ、好適に、入射光を逆プリズム型導光板内から逆プリズムシート側に出射させることができる。
【００３４】
また、特に、反射面での光の反射角度が、逆プリズムシートに対して斜めに向かう方向であるので、この光が、逆プリズムシートの下面（逆プリズム型導光板側の面）にて、逆プリズム型導光板側に反射することを防止ないしは抑制できて、透過モードにおける光の利用効率を従来技術よりも向上させることができる。よって、透過モードにおいて、十分な表示輝度を得ることが可能となる。
【００３５】
更に、逆プリズム型導光板に隣設されたライトガイドパイプを更に備え、光源からの光を、先ず、ライトガイドパイプ内に入射させ、該ライトガイドパイプ内で逆プリズム型導光板側に反射させてから、該逆プリズム型導光板内に入射させるようにするとともに、ライトガイドパイプから逆プリズム型導光板への入射光が平行光となるように、光源からライトガイドパイプへの入射光の入射角度と、ライトガイドパイプ内において光源からの光を逆プリズム型導光板側に反射させる面の角度と、を設定することにより、透過モードにおける光の均一性を良好にでき、輝度むらのない高画質の表示を透過モードにおいて行うことができる。
【発明を実施するための最良の形態】
【００３６】
以下、図面を参照して、本発明に係る実施形態について説明する。
【００３７】
図１は本発明の実施形態に係る液晶表示装置１０を示す図であり、このうち（ａ）は液晶表示装置１０の層構造を示す模式的な断面図、（ｂ）は液晶表示装置１０が備える逆プリズム型導光板７の構造を示す模式的な上面図である。
【００３８】
図１（ａ）に示すように、本実施形態に係る液晶表示装置１０は、外部半透過方式の液晶表示装置であり、表示素子としての液晶セルを有する液晶層１と、この液晶層１の上側に配設された上側偏光板２と、液晶層１の下側に配設された下側偏光板３と、拡散のり４を介して下側偏光板３の下側に貼設された反射偏光板５と、この反射偏光板５の下側に配設された逆プリズムシート６と、この逆プリズムシート６の下側に配設された逆プリズム型導光板７と、この逆プリズム型導光板７の下側に配設され、逆プリズム型導光板７から下側に向けて出射された光を上側に向けて反射させる反射シート８と、逆プリズム型導光板７に隣設されたライトガイドパイプ７３と、このライトガイドパイプ７３に隣設された光源７４と、を備えて構成されている。なお、以上の構成要素のうち、例えば、液晶層１、上側偏光板２、下側偏光板３、拡散のり４及び反射偏光板５は一体化され、液晶パネル１１を構成している。
【００３９】
反射偏光板５は、偏光板（図示略）と、この偏光板の下側に拡散のり（図示略）を介して貼設された輝度向上シート（図示略）と、を備えて構成されている。
【００４０】
ここで、下側偏光板３、拡散のり４及び反射偏光板５と、逆プリズムシート６とは、一体化させた方が好ましい。これらを一体化させることにより、逆プリズムシート６と反射偏光板５との間に隙間が生じないようにでき、この隙間への光の侵入及び閉じ込めを防止できるからである。ただし、量産性などの観点から、下側偏光板３、拡散のり４及び反射偏光板５と、逆プリズムシート６とは、一体化させない構造としても良い。
【００４１】
また、拡散のり４が必要な理由は、反射光の特性を正反射よりもある程度広範囲な反射特性にする必要があるためである。ここで、一般に用いられることの多い拡散シートではなく、拡散のり４を備える理由は、偏光解消を抑制するためである。なお、拡散のヘイズ値が極力低いものであれば、拡散のり４に代えて拡散シートを用いても良い。
【００４２】
逆プリズムシート６の下面側（逆プリズム型導光板７側）には、それぞれ下方に向けて突出する多数のプリズム６１からなるプリズム群６２が形成されている。プリズム群６２に含まれる各プリズム６１は、例えば、それぞれ断面逆三角形状に形成され、図１（ａ）において紙面に対し垂直方向（手前から奥に向かう方向）に延在している。なお、図１（ａ）においては、簡単のため、一部のプリズム６１にのみ符号を付している。
【００４３】
逆プリズムシート６は、光源７４を点灯させずに使用する反射モードにおいては、主に、正面方向からの光を正面方向に反射させる機能を担う。他方、光源７４を点灯させて使用する透過モードにおいては、正面方向からの光を正面方向に反射させる機能に加えて、後述するように逆プリズム型導光板７より斜めに出射される光の向きをほぼ正面方向に変換させる機能を担う。
【００４４】
また、逆プリズム型導光板７は、例えば、アクリル系樹脂などの光透過性の材質からなり、略直方体形の平板状に形成されている。
【００４５】
この逆プリズム型導光板７の下面側には、例えば複数の溝部７１が、所定間隔に形成されている。これにより、逆プリズム型導光板７は、逆プリズム型とされている。
【００４６】
逆プリズム型導光板７の各溝部７１は、例えば、それぞれ断面が略三角形状に形成され、図１（ａ）において紙面に対し垂直方向（手前から奥に向かう方向）に延在している。
【００４７】
なお、逆プリズム型導光板７の下面（反射シート８側の面）は、溝部７１が形成されている領域を除けば、例えば、平坦に形成された平坦面（平坦部）７２とされている。更に、逆プリズム型導光板７の上面７３も平坦面とされ、且つ、該上面７３と下面側の平坦面７２とは、それぞれ液晶表示装置１０の正面方向に対して直交している（上面７３と平坦面７２とは互いに平行）。
【００４８】
また、逆プリズム型導光板７の各溝部７１を画定する２つの面のうち、ライトガイドパイプ７３側の面は、当該液晶表示装置１０の正面方向（図１（ａ）における上方向）に対し所定角度で傾斜した傾斜面（反射面）７１２とされている。
【００４９】
他方、逆プリズム型導光板７の各溝部７１を画定する２つの面のうち、ライトガイドパイプ７３に対し反対側の面は、例えば、平坦面７２に対して垂直に起立する垂直面７１１とされている。
【００５０】
このような逆プリズム型導光板７は、光源７４を点灯させて使用する透過モードにおいては、ライトガイドパイプ７３から逆プリズム型導光板７内に入射した光を、傾斜面７１２にて、逆プリズムシート６に対して斜め方向に反射し、上面７３より逆プリズムシート６に向けて斜め上方に出射する機能を担う。また、正面方向から逆プリズム型導光板７に入射した光は、主に、平坦面７２から反射シート８側に出射して該反射シート８にて反射し、再び平坦面７２から逆プリズム型導光板７内に入射し、上面７３より正面方向に出射し、これにより光が再利用される。
【００５１】
ライトガイドパイプ７３は、逆プリズム型導光板７の四方の側端面のうち、図１における左側の端面、すなわち、溝部７１の延在方向に対し直交方向に位置する２つの端面のうち、各溝部７１の傾斜面７１２側の端面に連なるように、逆プリズム型導光板７に隣設されている。
【００５２】
また、光源７４は、例えばＬＥＤからなり、例えば、ライトガイドパイプ７３の四方の端面のうち、逆プリズム型導光板７の各溝部７１の延在方向に位置する２つの端面にそれぞれ隣設されている。
【００５３】
以上の構成要素のうち、逆プリズムシート６、逆プリズム型導光板７、反射シート８、ライトガイドパイプ７３及び光源７４によりバックライト７５が構成されている。
【００５４】
このようなバックライト７５においては、光源７４を発光させると、その発光がライトガイドパイプ７３内に入射する。
【００５５】
その入射光Ｌ１は、図１（ｂ）に示すように、先ず、ライトガイドパイプ７３内において、逆プリズム型導光板７から遠い位置にある端面７３１に向かい、該端面７３１にて、逆プリズム型導光板７側に向けて反射した後、逆プリズム型導光板７内に入射する。
【００５６】
ここで、このように逆プリズム型導光板７内に入射する入射光Ｌ２が、互いに平行な平行光となるように、光源７４からライトガイドパイプ７３への光の入射角度と、ライトガイドパイプ７３の端面７３１の形状（角度）が設定されている。例えば、特許文献３の技術の場合のように、導光板の側部に光源を直に実装すると、光源からの光線の輝跡が見えてしまい、輝度むらとなってしまうが、本実施形態のように、ライトガイドパイプ７３を導光板７に隣接させて設け、光源７４からの光をライトガイドパイプ７３内で反射させて平行光としてから逆プリズム型導光板７内に入射させることにより、輝度むらを防止できる。
【００５７】
また、逆プリズム型導光板７内に入射した入射光Ｌ２は、逆プリズム型導光板７内を通過して各溝部７１に達する。溝部７１に達した入射光Ｌ２は、該溝部７１の傾斜面７１２にて、図１（ａ）における斜め上方（逆プリズムシート６に対して斜め方向）に向けて反射し、逆プリズム型導光板７の上面７３より斜め上方に出射する。
【００５８】
逆プリズム型導光板７の上面７３より斜め上方に出射された光は、逆プリズムシート６の各プリズム６１により、その進行方向が斜め上方からほぼ正面方向へと変換される。
【００５９】
こうして、光源７４を発した光が液晶表示装置１０の表示発光に好適に寄与することとなる。
【００６０】
ここで、逆プリズム型導光板７の上面７３より出射する出射光Ｌ３の出射角度（出射光Ｌ３において強度がピークとなる部分の角度）が、正面方向に対し、例えば５０°〜８０°程度となるように、正面方向に対する傾斜面７１２の傾斜角度が設定されている。
【００６１】
このように、本実施形態の場合、光源７４を点灯させて使用する透過モードにおいて、光源７４を発した後にライトガイドパイプ７３を介して逆プリズム型導光板７内に入射した光を、溝部７１の傾斜面７１２にて逆プリズムシート６側に向けて反射させることができ、好適に、入射光を逆プリズム型導光板７内から逆プリズムシート６側に出射させることができる。
【００６２】
しかも、特に、傾斜面７１２での光の反射角度が、逆プリズムシート６に対して斜めに向かう方向であるので、この光が、逆プリズムシート６の下面（逆プリズム型導光板７側の面）にて、逆プリズム型導光板７側に反射することを防止ないしは抑制できる。よって、透過モードにおける光の利用効率を従来技術よりも向上させることができ、透過モードにおいて、十分な表示輝度を得ることが可能となる。
【００６３】
なお、逆プリズムシート６の各プリズム６１の頂角γは、単に、反射モードにおいて正面からの入射光を反射させる目的ならば９０°が好ましいが、この場合、透過モードにおいて逆プリズム型導光板７からの光を、各プリズム６１にて正面側に向けることができない。このため、各プリズム６１の頂角γは、例えば、６０°〜７０°の範囲に設定することが好ましい。また、頂角γが６０°付近の値であると、逆プリズム型導光板７からの光を、各プリズム６１にて正面側に向けるには都合が良いが、反射モードにおいては正面からの入射光が各プリズム６１にてほとんど正面に反射しなくなってしまうため、頂角γは、特に、７０°付近の値に設定することが好ましいといえる。
【００６４】
なお、各プリズム６１は、図１（ａ）において、例えば、それぞれ左右対称形に形成されている。すなわち、各プリズム６１の外形を画定する第１傾斜面６１１及び第２傾斜面６１２の正面方向に対する傾斜角度は互いに等しい。なお、図１（ａ）においては、簡単のため、第１傾斜面６１１及び第２傾斜面６１２の符号を一部のプリズム６１にのみ付している。
【００６５】
ここで、反射モードでは、逆プリズムシート６にて、正面方向付近の角度からの入射光の５０％程度が反射するが、残りの５０％程度は７０°程度の角度に向きを変えられて逆プリズム型導光板７側に向かってしまう。この逆プリズム型導光板７側に向かった光も有効利用するためには、反射シート８にて正反射させて、７０°程度の角度で逆プリズムシート６に再入射させる必要がある。
【００６６】
このため、極力、逆プリズム型導光板７における平坦面７２の面積比率を多くして、逆プリズムシート６→逆プリズム型導光板７→反射シート８→逆プリズム型導光板７→逆プリズムシート６の順に進む光の光路の角度が、逆プリズム型導光板７の下面にて変化しないようにする必要がある。
【００６７】
更に、同様の観点から、逆プリズムシート６と逆プリズム型導光板７との間には、拡散シートやレンチキュラーなどの光路を変換させてしまうようなものは設けないことが好ましい。
【００６８】
更に、同様の観点から、逆プリズム型導光板７の上面７３は、平坦にし、通常設けられている溝などは設けていない。
【００６９】
次に、本実施形態に係る液晶表示装置１０の反射率を測定した実験結果について説明する。
【００７０】
実験では、液晶セルとして色度域４０％、透過率１０．７％の、表示面積が３．５インチサイズのＴＮセル（拡散のり及び反射偏光板付きのＴＮセル）を用いた。実験では、逆プリズムシート６と反射偏光板５は一体化させない構造のものを用いた。
【００７１】
結果は以下のようになった。
【００７２】
従来のバックライトでは、パネル面法線方向を０°と考えた場合において１５°となる方向からリング光源の光を入射させ、０°（正面方向）の方向に出射する光を測定したところ、ＢａＳＯ4を標準白色板として反射率１００％としたときに、パネルの反射率が２．７％、反射コントラストが５であったものが、本実施形態に係る液晶表示装置１０の場合、反射率が４％、コントラスト８に上昇した。
【００７３】
また、バックライトの光利用効率についての実験結果は以下の通りである。
【００７４】
すなわち、従来の液晶表示装置では光源として６灯のＬＥＤを用いた場合の表示輝度が２３００Ｃｄ／ｍ2であったのに対し、本実施形態に係る液晶表示装置１００の場合、２〜４灯のＬＥＤを用いた場合の表示輝度として、２１００〜３０００Ｃｄ／ｍ2を達成できた。
【００７５】
これは、ライトガイドパイプ７３、逆プリズム型導光板７及び逆プリズムシート６を備える構造の光利用効率が良いからである。
【００７６】
なお、この実験では、液晶パネル１１とバックライト７５が離れた構造を用いたが、液晶パネル１１とバックライト７５とを一体化した方がさらに特性は向上する。
【００７７】
更に、液晶パネル１１とバックライト７５とを一体化した場合は、液晶表示装置１０全体の機械的強度が向上するので、液晶パネル１１が備える基板の厚みと逆プリズム型導光板７の厚みを薄くしても、液晶表示装置１０全体では十分な機械的強度が得られる。よって、液晶表示装置１０の薄型化が可能となるとともに、反射のパララックスも抑制できる。
【００７８】
以上のような実施形態によれば、バックライト７５を構成する導光板７における反射シート８側の面には、溝部７１が形成され、この溝部７１により、光源７４からの入射光を逆プリズムシート６に対して斜め方向に反射させる傾斜面７１２が構成されているので、光源７４を点灯させて使用する透過モードにおいて導光板７内に入射した光を、溝部７１の傾斜面７１２にて逆プリズムシート６側に向けて反射させることができ、好適に、入射光を逆プリズム型導光板７内から逆プリズムシート６側に出射させることができる。
【００７９】
また、特に、傾斜面７１２での光の反射角度が、逆プリズムシート６に対して斜めに向かう方向であるので、この光が、逆プリズムシート６の下面（逆プリズム型導光板７側の面）にて、逆プリズム型導光板７側に反射することを防止ないしは抑制できて、透過モードにおける光の利用効率を従来技術よりも向上させることができるとともに、傾斜面７１２において光が全反射となるマージン（光源７４からの光の角度範囲）を広く確保できる。よって、透過モードにおいて、十分な表示輝度を得ることが可能となる。
【００８０】
更に、逆プリズム型導光板７に隣設されたライトガイドパイプ７３を更に備え、光源７４からの光を、先ず、ライトガイドパイプ７３内に入射させ、該ライトガイドパイプ７３内で逆プリズム型導光板７側に反射させ、該逆プリズム型導光板７内に入射させるようにするとともに、ライトガイドパイプ７３から逆プリズム型導光板７への入射光が平行光となるように、光源７４からライトガイドパイプ７３への入射光の入射角度と、ライトガイドパイプ７３内において光源７４からの光を逆プリズム型導光板７側に反射させる面７３１の角度と、を設定しているので、透過モードにおける光の均一性を良好にでき、輝度むらのない高画質の表示を透過モードにおいて行うことができる。
【００８１】
加えて、逆プリズム型導光板７の反射シート８側の面において、溝部７１以外の部分は、平坦に形成された平坦面７２であるので、逆プリズムシート６→逆プリズム型導光板７→反射シート８→逆プリズム型導光板７→逆プリズムシート６の順に進む光の光路の角度が逆プリズム型導光板７の下面にて変化してしまうことを極力抑制でき、反射モードにおいて逆プリズムシート６から逆プリズム型導光板７側に透過する光も反射シート８にて反射するようにでき、その透過光の利用効率を極力高めることができる。すなわち、反射モードでは、外光の５０％程度が逆プリズムシート６にて反射し、残りの５０％程度が逆プリズムシート６を透過して逆プリズム型導光板７側に向かうが、逆プリズム型導光板７の下面における大部分を平坦面７２が占めているため、その透過光も反射シート８にて好適に反射させて有効利用することができる。
【００８２】
なお、上記の実施形態で説明した液晶表示装置１０は、例えば、単に表示装置として用いるのであっても良いが、携帯情報端末装置（例えば、携帯電話機やＰＤＡ（Ｐｅｒｓｏｎａｌ  Ｄｉｇｉｔａｌ  Ａｓｓｉｓｔａｎｔ））或いはその他の電子機器に搭載することも好ましい。
【００８３】
また、上記の実施形態では、本発明に係るバックライトを液晶表示装置に搭載した例を説明したが、液晶表示装置以外の表示装置であっても、バックライトを要する表示装置に対し、本発明のバックライトを搭載しても良い。
【図面の簡単な説明】
【００８４】
【図１】本発明の実施形態に係る液晶表示装置の層構造を示す断面図である。
【図２】特許文献１の液晶表示装置の層構造を示す断面図である。
【図３】特許文献２の液晶表示装置が備えるバックライトを示す断面図である。
【図４】特許文献３の液晶表示装置の層構造を示す断面図である。
【図５】特許文献３の液晶表示装置における問題点を説明するための断面図である。
【図６】特許文献３の液晶表示装置における問題点を説明するための要部上面図である。
【符号の説明】
【００８５】
１      液晶層
６      逆プリズムシート
７      逆プリズム型導光板（導光板）
７１    溝部
７１２  傾斜面（反射面）
７２    平坦面（平坦部）
７３    ライトガイドパイプ
７３１  面
７５    バックライト
８      反射シート
１０    液晶表示装置
【図１】
2006138975.tif 000003
【図２】
2006138975.tif 000004
【図３】
2006138975.tif 000005
【図４】
2006138975.tif 000006
【図５】
2006138975.tif 000007
【図６】
2006138975.tif 000008